(57)【要約】【課題】  簡易な構成よりなり且つ簡易な操作でよいことにより、製造原価の低減や軽量化を可能とし且つ商品性を向上した容器保持装置を提供する。【解決手段】  搭載部材に対して埋没した位置及び該埋没位置から搭載部材より突出した位置の両位置に上下移動可能なるベース部材１１と、搭載部材に埋没した位置でベース部材１１に沿い且つ搭載部材より突出した位置で搭載部材の上面に載置可能なると共に容器の底部を保持可能なる底部支持部材１２と、搭載部材に埋没した位置で底部支持部材１２に沿う位置に折りたたまれ且つ搭載部材より突出した位置で底部支持部材１２の上側ＵＰに離間した位置に保持可能なると共に容器の側部を保持可能なる側部支持部材１３とより構成されてなる。【選択図】        図３
2005104358.tif 000002
【特許請求の範囲】
【請求項１】
搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記底部支持部材に沿う位置に折りたたまれ且つ前記搭載部材より突出した位置で前記底部支持部材の上側に離間した位置に保持可能なると共に容器の側部を保持可能なる側部支持部材とより構成されてなることを特徴とする容器保持装置。
【請求項２】
請求項１に記載の容器保持装置であって、
前記側部支持部材は、前記底部支持部材に沿う位置から前記底部支持部材の上側に離間した位置に位置するよう常時付勢されて支持してなることを特徴とする容器保持装置。
【請求項３】
請求項２に記載の容器保持装置であって、
前記側部支持部材は、前記底部支持部材の自由端部側の両端部に回転自在に軸支されてなる基部と、該基部からクロス状をなすと共に前記底部支持部材の側面に収り得る保持部とよりなり、保持部間が回転自在に軸支されてなることを特徴とする容器保持装置。
【請求項４】
請求項２に記載の容器保持装置であって、
前記側部支持部材は、前記底部支持部材の自由端部側の両端部に回転自在に軸支されてなる基部と、該基部からクロス状をなすと共に一方が前記底部支持部材の側面に収り得る保持部とよりなり、保持部間が回転自在に軸支されてなることを特徴とする容器保持装置。
【請求項５】
請求項１乃至請求項４の何れか１項に記載の容器保持装置であって、
前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上側へ付勢支持されてなることを特徴とする容器保持装置。
【請求項６】
請求項１乃至請求項５の何れか１項に記載の容器保持装置であって、
前記底部支持部材は、前記ベース部材に対して前記搭載部材の上面に載置する方向に常時付勢支持してなることを特徴とする容器保持装置。
【発明の詳細な説明】
【技術分野】
【０００１】
この発明は、容器保持装置に関するものである。
【背景技術】
【０００２】
自動車、電車などの乗り物や家屋、劇場などの屋内家具に採用されている容器保持装置としては、例えば、シート本体のサイドカバーなどの搭載部材に設けられたベース部材と、ベース部材に対してヒンジ機構により上下に回転自在に支持された受け皿部材とを備えている（例えば、特許文献１。）。
【特許文献１】特開２００３−５４３０３号公報
【発明の開示】
【発明が解決しようとする課題】
【０００３】
しかしながら、このような従来の技術にあっては、ヒンジ機構が複雑且つ多部品より構成されてなり、製造原価の高騰、重量増加などの問題点を有する。また、操作が煩雑で、片手での操作などにおける複雑な操作は商品性を損なうおそれがある。
【０００４】
この発明は、このような従来の技術の問題点に着目してなされたものであり、簡易な構成よりなり且つ簡易な操作でよいことにより、製造原価の低減や軽量化を可能とし且つ商品性を向上した容器保持装置を提供するものである。
【課題を解決するための手段】
【０００５】
かかる従来技術を解決するために、請求項１に記載の発明は、搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記底部支持部材に沿う位置に折りたたまれ且つ前記搭載部材より突出した位置で前記底部支持部材の上側に離間した位置に保持可能なると共に容器の側部を保持可能なる側部支持部材とより構成されてなることを特徴とする。
【０００６】
請求項２に記載の発明は、請求項１に記載の容器保持装置であって、前記側部支持部材は、前記底部支持部材に沿う位置から前記底部支持部材の上側に離間した位置に位置するよう常時付勢されて支持してなることを特徴とする。
【０００７】
前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上側へ付勢支持されてなることを特徴とする。
【０００８】
請求項３に記載の発明は、請求項２に記載の容器保持装置であって、前記側部支持部材は、前記底部支持部材の自由端部側の両端部に回転自在に軸支されてなる基部と、該基部からクロス状をなすと共に前記底部支持部材の側面に収り得る保持部とよりなり、保持部間が回転自在に軸支されてなることを特徴とする。
【０００９】
前記底部支持部材は、前記ベース部材に対して前記搭載部材の上面に載置する方向に常時付勢支持してなることを特徴とする。
【００１０】
請求項４に記載の発明は、請求項２に記載の容器保持装置であって、前記側部支持部材は、前記底部支持部材の自由端部側の両端部に回転自在に軸支されてなる基部と、該基部からクロス状をなすと共に一方が前記底部支持部材の側面に収り得る保持部とよりなり、保持部間が回転自在に軸支されてなることを特徴とする。
【００１１】
請求項５に記載の発明は、請求項１乃至請求項４の何れか１項に記載の容器保持装置であって、前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上側へ付勢支持されてなることを特徴とする。
【００１２】
請求項６に記載の発明は、請求項１乃至請求項５の何れか１項に記載の容器保持装置であって、前記底部支持部材は、前記ベース部材に対して前記搭載部材の上面に載置する方向に常時付勢支持してなることを特徴とする。
【発明の効果】
【００１３】
請求項１に記載の発明によれば、搭載部材に対して出没自在なベース部材と、該ベース部材に軸支された底部支持部材及び側部支持部材により構成されてなる容器保持装置であるので、構成が簡易となることで、製造原価の低減や軽量化を可能とした。また、ベース部材を収納させるだけで、底部支持部材及び側部支持部材がベース部材側に折りたたまれるので、簡易な操作で収納できる。
【００１４】
請求項２に記載の発明によれば、前記側部支持部材は、前記底部支持部材に沿う位置から前記底部支持部材の上側に離間した位置に位置するよう常時付勢されて支持してなるので、ベース部材が持ち上がることにより、側部支持部材が略水平状態に移動し、容器を収納しやすいことになる。
【００１５】
請求項３に記載の発明によれば、前記側部支持部材は、前記底部支持部材の自由端部側の両端部に回転自在に軸支されてなる基部と、該基部からクロス状をなすと共に前記底部支持部材の側面に収り得る保持部とよりなり、保持部間が回転自在に軸支されてなるので、容器を側部側から内側に向けて圧力が加わり、その分容器に対する把持力が増加することになる。
【００１６】
請求項４に記載の発明によれば、前記側部支持部材は、前記底部支持部材の自由端部側の両端部に回転自在に軸支されてなる基部と、該基部からクロス状をなすと共に一方が前記底部支持部材の側面に収り得る保持部とよりなり、保持部間が回転自在に軸支されてなるので、容器を側部側から内側に向けて圧力が加わり、その分容器に対する把持力が増加することになる。また、底部支持部材に保持部が収ると言うことは、その分底部支持部材の幅が大きくなり、該底部支持部材に載置できる容器の幅が大きくてもよいことになる。
【００１７】
請求項５に記載の発明によれば、前記ベース部材は、固定部材により上下方向に摺動自在に支持されてなるので、ベース部材が没した状態では、底部支持部材及び側部支持部材も固定部材に収納されて、引っ掛けたりする恐れがない。ベース部材が突出した状態では、底部支持部材及び側部支持部材も露出し、容器を支持できる使用状態になる。前記固定部材の上端部には、蓋体が開閉自在に軸支されてなるので、上側からゴミなどが落ちても固定部材内に入り込むことがない。前記ベース部材の下端部に突設されたストッパは、前記固定部材に形成されてなる上下長孔を摺動可能であるので、ベース部材の露出量が定まり、不用意な突出量とならない。また、ベース部材は、常時上側へ付勢支持されてなるので、蓋体を開成させることで、容易にベース部材は持ち上がる方向にスライドできる。
【００１８】
請求項６に記載の発明によれば、底部支持部材は、前記ベース部材に対して前記搭載部材の上面に載置する方向に常時付勢支持してなるので、底部支持部材に加わる容器による荷重を底部支持部材のみで受けるヒンジ機構でなくて良い分、ヒンジ機構が簡易なものとなり、安価になる。
【発明を実施するための最良の形態】
【００１９】
簡易な構成よりなり且つ簡易な操作でよいことにより、製造原価の低減や軽量化を可能とし且つ商品性を向上した容器保持装置を提供するという目的を、出没自在なベース部材と、ベース部材に沿う位置及び略水平になる位置に移動可能に軸支され且つ前記搭載部材の上面に載置可能な底部支持部材と、底部支持部材に沿う位置に折りたたまれ且つ前記搭載部材より突出した位置で前記底部支持部材の上側に離間した位置に保持可能なると共に容器の側部を保持可能なる側部支持部材とより構成されてなることにより実現した。
【実施例１】
【００２０】
図１乃至図５は、この発明の第１実施例の容器保持装置を示した図面である。符号１は、容器保持装置で、シートクッション２とシートバック３とよりなる座席４のシートバック２の格納部５に出没自在の「搭載部材」であるアームレスト６に配設されてなる。
【００２１】
前記容器保持装置１は、固定部材１０と、ベース部材１１と、底部支持部材１２と、側部支持部材１３とより構成されてなる。
【００２２】
前記固定部材１０は、アームレスト６の内部にビス７により立設した状態で固設されてなり、前記ベース部材１１を前後ＦＲ，ＲＲ方向から囲繞してなると共にベース部材１１を上下ＵＰ，ＬＷＯ方向に摺動自在に支持されてなり、該固定部材１０の上端部１０ａには蓋体１４が開閉自在に軸支されてなる。図３は、蓋体１４が、開成した状態を示す。蓋体１４の係合爪１４ａは、固定部材１０の上端部１０ａの形成された凹部１０ｃに係合することで、閉成された状態が保持される。
【００２３】
前記ベース部材１１は、前記アームレスト６に対して埋没した位置、すなわち固定部材１０内に収納された位置及び該埋没位置からアームレスト６より突出した位置すなわち固定部材１０の上端部１０ａより突出した位置(図３参照)の両位置に上下移動可能である。該ベース部材１１の下端部１１ａの前後ＦＲ，ＲＲ方向に突設されたピン状のストッパ１５、１５は、前記固定部材１０に形成されてなる上下長孔１６を摺動可能なるように係合されてなると共に固定部材１０の外壁より前後ＦＲ，ＲＲ方向に突設されたピン状の固定部１０ｂとストッパ１５、１５との間に懸架されたコイル状スプリング１７により、ベース部材１１が常時上側ＵＰへ付勢支持されてなる。
【００２４】
前記底部支持部材１２は、前記アームレスト６に埋没した位置で図２に二点鎖線で示すように前記ベース部材１１に沿い且つ前記アームレスト６より突出した位置で図２に実線で示すように前記アームレスト６の上面６ａに載置可能なるように前後ＦＲ，ＲＲ方向に突設されたピン状の支持軸１２ｂ、１２ｂによりベース部材１１に回転自在に軸支されている。該アームレスト６の上面６ａに載置した状態の底部支持部材１２の上面には、容器８の底部８ａを保持可能なる凹面支持部１２ａが形成されてなる。また、底部支持部材１２は、巻きスプリング１８により前記ベース部材１１に対して前記アームレスト６の上面６ａに載置する方向に常時付勢支持されてなる。換言すると、ベース部材１１をアームレスト６内に押し込めば、巻きスプリング１８の付勢力に抗して底部支持部材１２は図２の二点鎖線で示すように徐々に持ち上がることになる。
【００２５】
前記側部支持部材１３は、第１アーム部材２０と、第２アーム部材２１とよりなり、第１アーム部材２０に回転自在に軸支されたピン２２に、第２アーム部材２１に形成された長孔２３が係合していて、第１アーム部材２０及び第２アーム部材２１の基部２０ａ，２１ａが底部支持部材１２の自由端部１２ｃより左右方向に突出したピン状の軸２４，２４に回転自在に軸支されることで、第１アーム部材２０及び第２アーム部材２１がクロス状をなしている。該第１アーム部材２０及び第２アーム部材２１の保持部２０ｂ、２１ｂは、容器８の側部８ｂを側部８ｂ側から挟むように形成されていると共に前記底部支持部材１２の側面１２ｄに沿う形状である。符号２５は、第１アーム部材２０の基部２０ａを軸支した軸２４に巻装された第２巻きスプリングで、第１アーム部材２０を常時上側ＵＰに付勢している。従って、前記アームレスト６に埋没した位置で図２に二点鎖線で示すように前記ベース部材１１に沿い且つ底部支持部材１２の自由端部１２ｃ及び側部１２ｄに沿い、前記アームレスト６より突出した位置で図２に実線で示すように前記底部支持部材１２の上側ＵＰに離間した位置に保持される。
【００２６】
次に、かかる容器保持装置１の作用について説明する。
【００２７】
アームレスト６に対して出没自在なベース部材１１と、該ベース部材１１に軸支された底部支持部材１２及び側部支持部材１３により構成されてなる容器保持装置１であるので、構成が簡易となることで、製造原価が低減できるし軽量化が図れる。また、ベース部材１１をアームレスト６に埋没させると、底部支持部材１２及び側部支持部材１３が共にベース部材１１側に折りたたまれるので、簡易な操作で収納できる。
【００２８】
前記ベース部材１１は、固定部材１０により上下方向に摺動自在に支持されてなるので、ベース部材１１が没した状態では、底部支持部材１２及び側部支持部材１３も固定部材１０に収納されて、引っ掛けたりする恐れがない。ベース部材１１が突出した状態では、底部支持部材１２及び側部支持部材１３も露出し、容器８を支持できる使用状態になる。前記固定部材１０の上端部１０ａには、蓋体１４が開閉自在に軸支され、常時は閉成されてなるので、上側からゴミなどが落ちても固定部材１０内に入り込むことがない。前記ベース部材１１の下端部１１ａに突設されたストッパ１５，１５は、前記固定部材１０に形成されてなる上下長孔１６を摺動可能であるので、ベース部材１１の露出量が定まり、不用意な突出量とならない。また、ベース部材１１は、スプリング１７により常時上側ＵＰへ付勢支持されてなるので、蓋体１４を開成させることで、容易にベース部材１１は持ち上がる方向にスライドできる。
【００２９】
底部支持部材１２は、前記ベース部材１１に対して前記アームレスト６の上面６ａに載置する方向に常時付勢支持してなるので、底部支持部材１２に加わる容器８による荷重を底部支持部材１２のみで受けるヒンジ機構でなくて良い分、ヒンジ機構が簡易なものとなり、安価になる。
【００３０】
側部支持部材１３は、常時上側ＵＰに付勢支持してなるので、ベース部材１１が持ち上がって、側部支持部材１３を拘束する部材が無くなると、側部支持部材１３が上側ＵＰに持ち上がって、容器８を収納しやすいことになる。また、前記側部支持部材１３は、前記底部支持部材１２の自由端部１２ｃ側の両端部に回転自在に軸支されてなる基部２０ａ，２１ａと、該基部２０ａ，２１ａからクロス状をなすと共に前記底部支持部材１２の側面１２ｄに収り得る保持部２０ｂ、２１ｂとよりなり、保持部２０ｂ、２１ｂ間が回転自在に軸支されてなるので、容器８を側部８ｂ側から内側に向けて圧力が加わり、その分容器８に対する把持力が増加することになる。
【実施例２】
【００３１】
図６乃至図８は、この発明の第２実施例の容器保持装置を示した図面である。前記第１実施例と異なる点のみを説明して、重複する説明を省略すると共に同じ構成部材は同一符号を用いる。
【００３２】
符号３０は、容器保持装置で、該容器保持装置３０は、固定部材１０（図２乃至図４参照）と、ベース部材１１（図１乃至図５参照）と、底部支持部材３１と、側部支持部材３２とより構成されてなる。
【００３３】
前記底部支持部材３１は、前記アームレスト６の上面６ａに載置可能なるように前後ＦＲ，ＲＲ方向に突設されたピン状の支持軸３１ｂ、３１ｂによりベース部材１１に回転自在に軸支されている。該アームレスト６の上面６ａに載置した状態の底部支持部材３１の上面には、容器８の底部８ａを保持可能なる平滑面３１ａが形成されてなる。また、底部支持部材３１は、巻きスプリング１８により前記ベース部材１１に対して前記アームレスト６の上面６ａに載置する方向に常時付勢支持されてなる。
【００３４】
前記側部支持部材３２は、第１アーム部材３３と、第２アーム部材３４とよりなり、第１アーム部材３３に回転自在に軸支されたピン３５に、第２アーム部材３４に形成された長孔３６が係合していて、第１アーム部材３３及び第２アーム部材３４の基部３３ａ，３４ａが底部支持部材３１の自由端部３１ｃより左右方向に突出したピン状の軸２４，２４に回転自在に軸支されることで、第１アーム部材３３及び第２アーム部材３４がクロス状をなしている。該第１アーム部材３３、３４の保持部３３ｂ、３４ｂは、容器８の側部８ｂを側部８ｂ側から挟むように形成されていると共に前記第１アーム部材３３の保持部３３ｂのみが底部支持部材３１の側面３１ｄに形成された溝部３１ｅに収まる形状である。
【００３５】
かかる第２実施例によれば、前記側部支持部材３２は、前記底部支持部材３１の自由端部３１ｃ側の両端部に回転自在に軸支されてなる基部３３ａ，３４ａと、該基部３３ａ，３４ａからクロス状をなすと共に前記底部支持部材３１の側面３１ｄの溝部３１ｅに収り得る一方の保持部３３ｂとよりなり、保持部３３ｂ、３４ｂ間が回転自在に軸支されてなるので、容器８を側部８ｂ側から内側に向けて圧力が加わり、その分容器８に対する把持力が増加することになる。また、底部支持部材３１に保持部３３ｂが収ると言うことは、その分底部支持部材３１の幅が大きくなり、該底部支持部材３１に載置できる容器８の幅が大きくてもよいことになる。
【産業上の利用可能性】
【００３６】
容器保持装置１、３０が装着されるもので有れば、自動車、航空機、船舶、鉄道など、あらゆる乗り物の座席に適用できる。また、家屋内外の椅子、野球場、サッカー場などの椅子、オペラ座などの観劇用椅子に適用できる。
【図面の簡単な説明】
【００３７】
【図１】この発明の第１実施例に係る容器保持装置を備えた座席の斜視図。
【図２】図１の正面方向からの要部拡大図。
【図３】図１，図２の容器保持装置のみの斜視図。
【図４】図３の容器保持装置の固定部材からベース部材及び蓋体等を外した分解斜視図。
【図５】図４のベース部材から底部支持部材及び側部支持部材を外した分解斜視図。
【図６】この発明の第２実施例に係る容器保持装置の要部の斜視図。
【図７】図６の正面図。
【図８】図６の上面図。
【符号の説明】
【００３８】
１、３０  容器保持装置
６  「搭載部材」であるアームレスト
６ａ  アームレストの上面
８  容器
８ａ  容器の底部
８ｂ  容器の側部
１０  固定部材
１０ａ  固定部材の上端部
１０ｂ  固定部材の固定部
１１  ベース部材
１１ａ  ベース部材の下端部
１２、３１  底部支持部材
１２ａ  底部支持部材の凹面支持部
１２ｂ、３１ｂ  底部支持部材の支持軸
１２ｃ、３１ｃ  底部支持部材の自由端部
１２ｄ、３１ｄ  底部支持部材の側面
１３、３２  側部支持部材
１４  蓋体
１５  ストッパ
１６  上下長孔
１７  コイル状スプリング
１８  巻きスプリング
２０，３３  第１アーム部材
２０ａ，３３ａ  第１アーム部材の基部
２０ｂ、３３ｂ  第１アーム部材の保持部
２１，３４  第２アーム部材
２１ａ，３４ａ  第２アーム部材の基部
２１ｂ、３４ｂ  第２アーム部材の保持部
ＦＲ  前側
ＲＲ  後側
ＵＰ  上側
ＬＷＯ  下側
【図１】
2005104358.tif 000003
【図２】
2005104358.tif 000004
【図３】
2005104358.tif 000005
【図４】
2005104358.tif 000006
【図５】
2005104358.tif 000007
【図６】
2005104358.tif 000008
【図７】
2005104358.tif 000009
【図８】
2005104358.tif 000010